(57)【要約】【課題】座体の後端部に、背凭れを強固に、かつ体裁よく連結しうるようにした座体と背凭れとの連結構造を提供する。【解決手段】座体５の座フレーム７の後端部に、上面が背凭れにおける背フレーム２１の下面に当接する背凭れ取付部材８を固着し、背凭れ取付部材８の上面に設けた嵌合孔１８、１９に、背フレーム２１の下面に突設した嵌合突部２７を嵌合し、かつ座フレーム７と背凭れ取付部材８と背フレーム２１とを、締付手段３５、３８をもって締着する。【選択図】  図５
2010253142.tif 000002
【特許請求の範囲】
【請求項１】
座体の座フレームの後端部に、上面が背凭れにおける背フレームの下面に当接する左右方向を向く背凭れ取付部材を固着し、前記背フレームと背凭れ取付部材との当接面のいずれか一方に設けた少なくとも左右１対の上下方向を向く嵌合孔に、同じくいずれか他方に突設した左右１対の嵌合突部を嵌合し、かつ前記座フレームと背凭れ取付部材と背フレームとを、締付手段をもって締着したことを特徴とする座体と背凭れとの連結構造。
【請求項２】
締付手段を、座フレームの下方より挿入した、嵌合突部と背フレームの下端部の一部を貫通する上下方向を向くボルトと、このボルトの上端部に螺合されたナットとよりなるものとしてなる請求項１記載の座体と背凭れとの連結構造。
【請求項３】
背凭れ取付部材の上面に、左右方向を向く起立片を突設し、この起立片を、背フレームの下面に設けた上向きの凹孔に嵌合してなる請求項１または２記載の座体と背凭れとの連結構造。
【請求項４】
背凭れ取付部材の上面と背フレームの下面との前後寸法を、嵌合突部及び嵌合孔の前後寸法よりも大とし、締付手段による締着時に、背凭れ取付部材の上面と背フレームの下面とが密接するようにしてなる請求項１〜３のいずれかに記載の座体と背凭れとの連結構造。
【請求項５】
背凭れ取付部材の上面と背フレームの下面を、斜め後下方に傾斜する傾斜面としてなる請求項４記載の座体と背凭れとの連結構造。
【請求項６】
嵌合突部を、左右方向に長い角軸形とするとともに、嵌合孔を、前記各軸形とした嵌合突部と補形をなす形状としてなる請求項１〜５のいずれかに記載の座体と背凭れとの連結構造。
【発明の詳細な説明】
【技術分野】
【０００１】
本発明は、例えば公共施設の待合室等に設置される椅子における座体と背凭れとの連結構造に関する。
【背景技術】
【０００２】
公共施設の待合室等に設置される椅子は、事務用の椅子とは異なり、長時間着座することがないので、背凭れをリクライニング構造とすることなく、座体に傾動不能に取付けているのが一般的である。
背凭れを傾動不能に取付けてなる従来の椅子としては、例えば特許文献１及び２に記載されているものがある。
【先行技術文献】
【特許文献】
【０００３】
【特許文献１】実公昭３８−１５７５０号公報
【特許文献２】特開平１０−１７９３２１号公報
【発明の概要】
【発明が解決しようとする課題】
【０００４】
上記特許文献１に記載の椅子は、座体の後端部に立設された左右１対の接続管に、背凭れの両側端部の１対の接続杆を上方より挿脱可能に嵌合し、接続管と接続杆とをねじ止めすることにより、座体の後端部に背凭れの下端部を固定しているので、座体と背凭れとの連結強度は小さい。この問題に対処するためには、接続管及びそれに嵌合される接続杆を大径かつ長寸とすればよいが、このようにすると、それらが外部に大きく露呈するので、見栄えが悪くなる。
【０００５】
特許文献２に記載の椅子においては、座取付用の座フレームの後端部に設けた上下方向を向く筒体(または棒体)に、背凭れの下端面に下向き突設した棒体(または筒体)を着脱可能に嵌合することにより、背凭れを座フレームに傾動不能に取付けているので、背凭れが座フレームより上方に外れる恐れがある。
また、背凭れは、筒体と棒体により座フレームに支持されているので、背凭れの取付強度が小さい。
【０００６】
本発明は、上記問題点に鑑みてなされたもので、座体の後端部に、背凭れを強固に、かつ体裁よく連結しうるようにした、座体と背凭れとの連結構造を提供することを目的としている。
【課題を解決するための手段】
【０００７】
本発明によると、上記課題は、次の各項のようにして解決される。
（１）座体の座フレームの後端部に、上面が背凭れにおける背フレームの下面に当接する左右方向を向く背凭れ取付部材を固着し、前記背フレームと背凭れ取付部材との当接面のいずれか一方に設けた少なくとも左右１対の上下方向を向く嵌合孔に、同じくいずれか他方に突設した左右１対の嵌合突部を嵌合し、かつ前記座フレームと背凭れ取付部材と背フレームとを、締付手段をもって締着する。
【０００８】
このような構成とすると、対向面が互いに当接する背凭れ取付部材と背フレームとのいずれか一方に設けた上下方向を向く嵌合孔に、他方に突設した嵌合突部を嵌合させた状態で、座フレームと背凭れ取付部材と背フレームとを、締付手段をもって締着しているので、座体の後端部に、背凭れの下端部を強固に連結することができる。
また、嵌合孔に嵌合突部を嵌合することにより、背凭れ取付部材と背フレームとが一体感を呈し、かつ互いの連結部も露呈しないので、体裁よく連結することができる。
【０００９】
（２）上記(１)項において、締付手段を、座フレームの下方より挿入した、嵌合突部と背フレームの下端部の一部を貫通する上下方向を向くボルトと、このボルトの上端部に螺合されたナットとよりなるものとする。
【００１０】
このような構成とすると、上下方向を向くボルトが、嵌合突部を補強する芯材として機能するので、背フレームにおける連結部の前後方向の曲げ強度が大となり、前後方向にぐらつく恐れが小さくなる。
また、ボルト及びナットが大きく露呈しないので、体裁がよくなる。
【００１１】
（３）上記(１)または(２)項において、背凭れ取付部材の上面に、左右方向を向く起立片を突設し、この起立片を、背フレームの下面に設けた上向きの凹孔に嵌合する。
【００１２】
このような構成とすると、左右方向を向く起立片も、背フレームの下面の凹孔に嵌合されているので、背凭れ取付部材と背フレームとの嵌合領域が増大し、かつ嵌合片が補強作用を有するので、背フレームの下端部の連結強度が大となり、前後方向にぐらつく恐れがより小さくなる。
【００１３】
（４）上記(１)〜(３)項のいずれかにおいて、背凭れ取付部材の上面と背フレームの下面との前後寸法を、嵌合突部及び嵌合孔の前後寸法よりも大とし、締付手段による締着時に、背凭れ取付部材の上面と背フレームの下面とが密接するようにする。
【００１４】
このような構成とすると、背フレームの下面と背凭れ取付部材の上面とが広い領域で密接し、連結部に作用する曲げ荷重が分散されて低減されるので、背フレームの下端部が前後方向にぐらつく恐れは小となる。
【００１５】
（５）上記(４)項において、背凭れ取付部材の上面と背フレームの下面を、斜め後下方に傾斜する傾斜面とする。
【００１６】
このような構成とすると、背凭れ取付部材の上面と背フレームの下面との接触面積が増大するので、背フレームの下端部が前後方向にぐらつく恐れはより小となる。
【００１７】
（６）上記(１)〜(５)項のいずれかにおいて、嵌合突部を、左右方向に長い角軸形とするとともに、嵌合孔を、前記各軸形とした嵌合突部と補形をなす形状とする。
【００１８】
このような構成とすると、嵌合孔と嵌合突部との嵌合面積が増大し、かつ嵌合突部の剛性も大となるので、背フレームの連結強度が高まる。
【発明の効果】
【００１９】
本発明によれば、座体の後端部に、背凭れの下端部を強固に連結することができるとともに、背凭れ取付部材と背フレームとが一体感を呈し、かつ互いの連結部も露呈しないので、体裁よく連結することができる。
【図面の簡単な説明】
【００２０】
【図１】本発明を適用した連結椅子の正面図である。
【図２】同じく、側面図である。
【図３】同じく、一部切欠拡大正面図である。
【図４】図３のIV-IV線縦断側面図である。
【図５】同じく、V-V線拡大縦断側面図である。
【図６】背凭れ取付部材と背フレームとの連結前の斜視図である。
【図７】同じく、正面図である。
【図８】同じく、側面図である。
【図９】背フレームを後方より見た斜視図である。
【図１０】背凭れ取付部材と背フレームとの連結部の他の実施形態を示す要部の拡大縦断側面図である。
【発明を実施するための形態】
【００２１】
以下、本発明の実施形態を、図面に基づいて説明する。
図１は、本発明を適用した、待合室等に設置される長椅子の正面図、図２は、同じく側面図で、この長椅子は、側面視山形状をなす左右１対の脚体１、１と、両脚体１に左右の端部が固着された角形の横杆２と、その上面に取付けられた同形をなす４脚の単体の椅子３と、各椅子３を挟む両側において横杆２に下端が固定された複数の肘掛け４とを備えている。
【００２２】
各椅子３は、一部切欠き拡大正面図である図３、及び図３のIV-IV線断面図である図４に示すように(同一構造に付き、右端側の椅子のみ図示する)、座体５と背凭れ６とを備え、座体５は、合板または合成樹脂等よりなる方形の座フレーム７と、その後端部の上面に固定された、左右寸法が座フレーム７のそれとほぼ等しい合成樹脂製の背凭れ取付部材８と、座フレーム７と背凭れ取付部材８との上面に、それらの下面を除いた全表面を覆うようにして止着されたクッション体９とからなっている。
【００２３】
座フレーム７は、その前後左右の４箇所が、横杆２に溶接された前後方向を向く左右１対のブラケット１０、１０の上端に、ボルト１１と、座フレーム７に埋設して回り止めされた雌ねじ筒１２により固定されている。
背凭れ取付部材８の前側の両側部は、図５に示すように、座フレーム７の後部に埋設して回り止めされた雌ねじ筒１２に、後記する段付孔１４に上方より嵌合したボルト１１を螺合させることにより固定され、同じく後側の両側部は、座フレーム７の後端部に、後記する背フレーム２１と共に固定されている(詳細は後述する)。
【００２４】
図６〜図８にも示すように、背凭れ取付部材８は、側面形が概ね三角形をなし、斜め前下方に傾斜する前部傾斜面８ａの中央部には、クッション体９の後端部が入り込む凹部１３が形成され、この凹部１３を挟む両側の前部傾斜面８ａには、上記ボルト１１が嵌合される段付孔１４、１４が穿設されている。  凹部１３の前端部の上面には、クッション体９の後部側の上面の一部を下方に引き込むようにして固定する引込み部材(図示略)を係止するための二股状の係止片１５が、左右複数突設されている。
【００２５】
背凭れ取付部材８の斜め後下方に傾斜する後部傾斜面８ｂには、左右方向を向く後部起立片１６ａと、前後方向を向く左右の側部起立片１６ｂ、１６ｂとからなる平面視前向きコ字状の上向嵌合部１６が立設され、この上向嵌合部１６の内部空間を、左右に離間する仕切片１７、１７をもって仕切ることにより、両仕切片１７の外側には、左右方向に長く、かつ上方に開口する左右１対の角形の嵌合孔１８、１８が形成されている。この左右の嵌合孔１８、１８と対向する後部傾斜面８ｂの両側部には、嵌合孔１８と同形の有底の嵌合孔１９、１９が、上記両嵌合孔１８と連通するようにして形成されている(図５参照)。なお、後部傾斜面８ｂの前後寸法は、後記する背フレーム２１の下面と当接しうるように、嵌合孔１８、１９の前後寸法よりも大とされている。
【００２６】
背凭れ取付部材８の後端部下面には、座フレーム７の板厚とほぼ等しい上下寸法の突片２０が下向きに突設され、この突片２０の前面を座フレーム７の後端と当接させることにより、座フレーム７に対し背凭れ取付部材８を前後方向に位置決めすることができる(図５、図６参照)。
【００２７】
図３〜図５に示すように、背凭れ６は、合成樹脂製の背フレーム２１と、その下端部を除く全表面を覆うように、上方より被せられた、表面が表皮材２２ａにより覆われた袋状のクッション体２２とを備えている。
図６〜図８に示すように、背フレーム２１は、左右寸法が背凭れ取付部材８のそれよりも若干小とされた左右方向を向く下部フレーム２３と、この下部フレーム２３の両側部の上面より起立する左右１対の側部フレーム２４、２４と、両側部フレーム２４間の下半部の空間を閉塞するようにして、それらの対向面と下部フレーム２３の上面に一体的に連設された背板２５とからなり、下部フレーム２３と左右の側部フレーム２４の正面形状を、ほぼ上向きコ字状とするとともに、背フレーム２１の全体形状を、上半部が解放された正面視概ね凹形としてある。
【００２８】
図６〜図９に示すように、下部フレーム２３は、左右方向を向く垂直の後面板２３ａと、斜め上下方向を向く左右の側面板２３ｂ、２３ｂとを備え、全体を背凭れ取付部材８の後部傾斜面８ｂと同方向に傾斜させてある。
下部フレーム２３の左右寸法と前後寸法は、それぞれ、左右の側部フレーム２４、２４の外側面間の寸法、及び両側部フレーム２４の下端部の前後寸法よりも若干大とされ、下部フレーム２３の周縁部の上面に、クッション体２２における表皮材２２ａを除いた下端が当接して位置決めされる段差面２３ｃが形成されるようにしてある(図５参照)。また、下部フレーム２３の前後寸法は、後記する嵌合突部２７の前後寸法よりも大とされている。
【００２９】
後面板２３ａと左右の側面板２３ｂとにより囲まれた内部には、背凭れ取付部材８の上向嵌合部１６に上方より嵌合可能な上向きの嵌合凹部２６が形成され、この嵌合凹部２６の内部において下部フレーム２３の下面の前後方向のほぼ中央部には、背凭れ取付部材８の上向嵌合部１６と後部傾斜面８ｂとに形成した左右１対ずつの嵌合孔１８、１９に嵌合可能な、それらと補形をなす左右方向に長い角軸形の嵌合突部２７、２７が突設されている。
【００３０】
図５に示すように、嵌合突部２７と後面板２３ａとの対向面間には、背凭れ取付部材８の上向嵌合部１６における後部起立片１６ａが嵌合される上向きの凹孔２８が形成されている。
また、下部フレーム２３の周縁部の下面、すなわち、下部フレーム２３の前端部下面と、後面板２３ａと両側面板２３ｂの下端面とには、クッション体２２の表皮材２２ａの端末部を嵌合して係着するための係止溝２９が、連続して形成されている(図５、図７参照)。
【００３１】
左右の側部フレーム２４、２４の上部は、斜め後上方を向くように円弧状に湾曲され、かつ湾曲部から下側の前後寸法を、下方に向かうにしたがって漸次大としてある。  また、下部の互いの対向面を内方に向かって円弧状に湾曲することにより、両側部フレーム２４の下半部の左右寸法を、下方に向かうにしたがって漸次大としてある。このような構造としてあるため、両側部フレーム２４の下半部の剛性、すなわち前後及び左右方向の曲げ強度が大となり、背フレーム２１全体の強度をも高めることができる。
【００３２】
背板２５は、下部フレーム２３と左右の側部フレーム２４の後端部に連設され、図４及び図６に示すように、背板２５の前方かつ下部フレーム２３の上面上には、クッション体２２を上下左右方向に位置決めして安定よく装着するための凹入段部３０が形成されている。なお、背板２５の上半部の後面には、上下方向を向くリブ３１が、左右方向に間隔を設けて複数突設され、背板２５の強度が高められている。
【００３３】
左右の側部フレーム２４における円弧状の湾曲部の上端部と、背板２５のやや上方の対向面間とには、Ｓ形ばね３２、３２が、それらの両端を、両側部フレーム２４の内側面に内向き突設した上下２個ずつの係止部材３３、３３に係止することにより、前後方向に撓むようにして張設されている。
【００３４】
次に、座体５に背凭れ６を連結する要領について説明する。
まず、図４に示すように、背フレーム２１に、クッション体２２を上方より被せ、図５の拡大図に示すように、表皮材２２ａの端末部を、下部フレーム２３の周縁部の下面に形成した係止溝２９に差し込んで係着する。なおこの際、背板２５の前方における下部フレーム２３の上面上と、下部フレーム２３の周縁部とには、それぞれ、凹入段部３０と段差面２３ｃが形成されているので、クッション体２２を上下左右方向に容易に位置決めして安定よく装着することができる。
【００３５】
ついで、図５及び図６に示すように、座フレーム７の後部上面に前端部が固定された背凭れ取付部材８の左右１対の嵌合孔１８、１９に、背フレーム２１の下部フレーム２３に下向き突設した左右１対の嵌合突部２７、２７を、上方より嵌合する。この際、上向嵌合部１６の後部起立片１６ａも、嵌合突部２７と後面板２３ａとの対向面間に形成された凹孔２８に、がたなく嵌合される。
【００３６】
ついで、座フレーム７の後端部の左右両側部と、背凭れ取付部材８における左右の嵌合孔１９形成部の底壁と、左右の嵌合突部２７とに穿設された上下方向のボルト挿通孔３４に、上下方向を向く長寸のボルト３５を下方より挿入し、その上端部を、側部フレーム２４の下端部に形成された後方に開口する肉抜き孔３６内に突出させるとともに、肉抜き孔３６に圧嵌した金属板３７を貫通させて、この金属板３７の上面に溶接されたナット３８に螺合して締め付ける。
【００３７】
これにより、背フレーム２１の下端部と背凭れ取付部材８とが、座フレーム７の後端部に共締めされて強固に連結される。特に、背フレーム２１に突設した比較的長寸の嵌合突部２７を、背凭れ取付部材８の嵌合孔１８、１９に嵌合するとともに、背凭れ取付部材８の上面に突設した上向嵌合部１６における、嵌合突部２７と反対方向を向く後部起立片１６ａを、嵌合突部２７と後面板２３ａとの対向面間の凹孔２８に嵌合させ、この状態においてボルト３５とナット３８により締着しているので、背凭れ取付部材８に対する背フレーム２１の下端部の連結強度は極めて大となる。しかも、締め付け時において、背フレーム２１における下部フレーム２３の下面が、背凭れ取付部材８の後部傾斜面８ｂの上面に広い領域で密接するので、背フレーム２１が前後方向にぐらつくのが防止される。
【００３８】
また、左右の嵌合突部２７には、上下方向を向く長寸のボルト３５が貫通しており、この左右のボルト３５が、嵌合突部２７を補強する芯材として機能するので、背フレーム２１における連結部の前後方向の曲げ強度が大となる。
【００３９】
さらに、上記のような差し込み式の連結構造とすると、背凭れ取付部材８と背フレーム２１とが一体感を呈し、かつ互いの連結部も露呈しないので、体裁がよくなるとともに、座体５と背凭れ６との連結作業も容易となる。
【００４０】
ボルト３５とナット３８による締め付け時に、表皮材２２の下端が背凭れ取付部材８の上面に押し付けられるので、表皮材２２の端末部が係止溝２９より離脱するのが防止される。
【００４１】
上述したように、背フレーム２１は剛性が高く、かつ背フレーム２１の形状を、上半部が解放された正面視ほぼ凹形として、左右の側部フレーム２４、２４の上半部の対向面間に、Ｓ形ばね３２、３２を張設しているので、クッション体２２に背中を凭れかけた際、その上半部が後方に撓み易くなり、快適な背凭れ感が得られる。
【００４２】
本発明は、上記実施形態に限定されるものではない。
上記実施形態では、背凭れ取付部材８側に設けた嵌合孔１８、１９に、背フレーム２１の下端に突設した嵌合突部２７を嵌合しているが、それらの嵌合形態を反対とすることもできる。すなわち、図１０に示すように、背フレーム２１における下部フレーム２３の下面に、下方に開口する嵌合孔３９を設け、この嵌合孔３９に、背凭れ取付部材８の後部傾斜面８ｂに上向き突設した嵌合突部４０を嵌合し、上記と同様に、座フレーム７と背凭れ取付部材８と背フレーム２１とを、それらを貫通するボルト３５とナット３８により共締めすればよい。
このようにしても、上記と同様の作用効果を奏することができる。
【００４３】
また、上記実施形態においては、嵌合孔１８、１９及び嵌合突部２７を左右１対設けてあるが、それらを２個以上設けたり、左右方向に連続させて設けたりすることもある。
【００４４】
本発明は、上記連結椅子以外に、通常の単体椅子にも適用しうることは勿論である。
【符号の説明】
【００４５】
１  脚体
２  横杆
３  椅子
４  肘掛け
５  座体
６  背凭れ
７  座フレーム
８  背凭れ取付部材
８ａ前部傾斜面
８ｂ後部傾斜面
９  クッション体
１０  ブラケット
１１  ボルト
１２  雌ねじ筒
１３  凹部
１４  段付孔
１５  係止片
１６  上向嵌合部
１６ａ後部起立片
１６ｂ側部起立片
１７  仕切片
１８  嵌合孔
１９  嵌合孔
２０  突片
２１  背フレーム
２２  クッション体
２２ａ表皮材
２３  下部フレーム
２３ａ後面板
２３ｂ側面板
２３ｃ段差面
２４  側部フレーム
２５  背板
２６  嵌合凹部
２７  嵌合突部
２８  凹孔
２９  係止溝
３０  凹入段部
３１  リブ
３２  Ｓ形ばね
３３  係止部材
３４  ボルト挿通孔
３５  ボルト
３６  肉抜き孔
３７  金属板
３８  ナット
３９  嵌合孔
４０  嵌合突部
【図１】
2010253142.tif 000003
【図２】
2010253142.tif 000004
【図３】
2010253142.tif 000005
【図４】
2010253142.tif 000006
【図５】
2010253142.tif 000007
【図６】
2010253142.tif 000008
【図７】
2010253142.tif 000009
【図８】
2010253142.tif 000010
【図９】
2010253142.tif 000011
【図１０】
2010253142.tif 000012